(57)【要約】【課題】建具の構造が複雑になるのを抑制しつつ、建具の一方側と他方側との通気を可能にする。【解決手段】建具１は、開口部２Ａを形成する枠体２と、開口部２Ａに配置される開閉体３と、縦枠６と開閉体３の間に形成される通気路７と、縦枠６に取り付けられる縦突出部材５０を備える。縦突出部材５０は、縦枠６から開口部２Ａの内方側に突出し、開閉体３の縦縁部３Ｃに対して縦枠６の見込み方向の一方側に配置される。縦突出部材５０は、開閉体３との間に隙間５４を形成するとともに、縦枠６の見込み方向の一方側からみたときに通気路７を遮蔽する。【選択図】  図６
2018127793.tif 000002
【特許請求の範囲】
【請求項１】
縦枠を有し、開口部を形成する枠体と、前記開口部に配置される開閉体と、を備えた建具であって、
前記縦枠と前記開閉体の間に形成される通気路と、
前記縦枠に取り付けられて前記縦枠から前記開口部の内方側に突出し、前記開閉体の縦縁部に対して前記縦枠の見込み方向の一方側に配置される縦突出部材と、を備え、
前記縦突出部材は、前記開閉体との間に隙間を形成するとともに、前記縦枠の見込み方向の一方側からみたときに前記通気路を遮蔽する建具。
【請求項２】
請求項１に記載された建具において、
前記縦枠は、前記縦枠の見込み方向に沿って形成された内周面部を有し、
前記通気路は、前記内周面部と前記開閉体の間に形成される建具。
【請求項３】
請求項２に記載された建具において、
前記縦枠は、前記内周面部に溝状に形成された取付部を有し、
前記縦突出部材は、前記取付部に取り付けられる建具。
【請求項４】
請求項３に記載された建具において、
前記取付部は、前記縦枠の見込み方向の一方側に位置する前記内周面部の一方側部に形成された建具。
【請求項５】
請求項１ないし４のいずれかに記載された建具において、
前記縦突出部材は、軟質部材である建具。
【請求項６】
請求項１ないし５のいずれかに記載された建具において、
前記開閉体は、開き時に、前記縦枠の見込み方向の他方側に突出して折れ曲がる建具。
【請求項７】
請求項１ないし６のいずれかに記載された建具において、
前記枠体は、下枠を有し、
前記開閉体から前記下枠に向かって突出して、前記開閉体と前記下枠の間に配置される下突出部材を備えた建具。
【発明の詳細な説明】
【技術分野】
【０００１】
本発明は、枠体の開口部に配置される開閉体を備えた建具に関する。
【背景技術】
【０００２】
建物の開口部に設置される建具では、枠体の複数の枠により開口部が形成されて、開閉体が枠体の開口部に配置される。開閉体は、枠体に開閉可能に連結され、開閉操作に応じて開閉される。また、従来、障子（開閉体）が閉じたときに、ドア枠（枠体）のタイト材を障子に接触させる建具が知られている（特許文献１参照）。
【０００３】
特許文献１に記載された従来の建具では、タイト材ホルダーが枠から突出して形成され、タイト材がタイト材ホルダーに取り付けられる。ところが、従来の建具では、タイト材ホルダー等の形成に伴い、枠の構造が複雑になり、複数の枠を簡単に枠組みできないことがある。また、枠の端部同士を組み合わせるため、枠の端部を切断した後、タイト材ホルダー等を他の枠の形状に対応して加工する必要がある。そのため、枠の端部の構造を含む建具の構造が複雑になる虞がある。加えて、タイト材ホルダーの形成に伴い、建具の有効開口が減少することがある。タイト材ホルダーへの衝突が懸念されるため、安全性の観点からも改良の余地がある。
【０００４】
建具の設置場所によっては、建具の一方側と他方側とで通気を行うことが求められる。例えば、トイレのドアでは、トイレ内の換気のため、障子が閉じた状態で、室内側と室外側との通気により、空気を流通させる必要がある。しかしながら、従来の建具では、障子に接触するタイト材により空気の流通が阻害されるため、通気を簡単に行うことができない。これに対し、建具に通気路を形成するときには、通気路を通して室内側が視認されることが懸念される。従って、プライバシーの観点から、問題が生じる虞がある。
【先行技術文献】
【特許文献】
【０００５】
【特許文献１】特開２０１２−１５４１４７号公報
【発明の概要】
【発明が解決しようとする課題】
【０００６】
本発明は、前記従来の問題に鑑みなされたもので、その目的は、建具の構造が複雑になるのを抑制しつつ、建具の一方側と他方側との通気を可能にするとともに、建具の通気路を通した視認を防止することである。
【課題を解決するための手段】
【０００７】
本発明は、縦枠を有し、開口部を形成する枠体と、前記開口部に配置される開閉体と、を備えた建具である。建具は、前記縦枠と前記開閉体の間に形成される通気路と、前記縦枠に取り付けられて前記縦枠から前記開口部の内方側に突出し、前記開閉体の縦縁部に対して前記縦枠の見込み方向の一方側に配置される縦突出部材と、を備える。前記縦突出部材は、前記開閉体との間に隙間を形成するとともに、前記縦枠の見込み方向の一方側からみたときに前記通気路を遮蔽する。
【発明の効果】
【０００８】
本発明によれば、建具の構造が複雑になるのを抑制しつつ、建具の一方側と他方側との通気が可能になるとともに、建具の通気路を通した視認を防止することができる。
【図面の簡単な説明】
【０００９】
【図１】本実施形態の建具の正面図である。
【図２】本実施形態の建具の断面図である。
【図３】本実施形態の建具の断面図である。
【図４】上枠を含む図３の一部を拡大して示す断面図である。
【図５】下枠を含む図３の一部を拡大して示す断面図である。
【図６】一方の縦枠を含む図２の一部を拡大して示す断面図である。
【図７】他の実施形態の建具の断面図である。
【発明を実施するための形態】
【００１０】
本発明の建具の一実施形態について、図面を参照して説明する。
本実施形態の建具は、開閉体が閉じた状態で通気可能な建具である。以下では、折戸を例にとり、本実施形態の建具について説明する。また、建具は、トイレ用の建具（ドア）であり、トイレの出入口に設置される。
【００１１】
図１は、本実施形態の建具１の正面図であり、室外側からみた建具１を模式的に示している。図２、図３は、本実施形態の建具１の断面図であり、建具１の概略構成を示している。図２は、建具１を水平方向（図１の左右方向）に切断した横断面図であり、図３は、建具１を垂直方向（図１の上下方向）に切断した縦断面図である。
図示のように、建具１は、建物１０の開口部１１に設置されて、室内と室外の間に配置される。ここでは、室内は、トイレであり、室外は、廊下である。従って、建具１の室内側は、トイレ側であり、建具１の室外側は、廊下側である。
【００１２】
建具１は、枠体２と、枠体２に開閉可能に連結された開閉体３を備えている。枠体２は、建物１０の開口部１１に設置される方形状の開口枠であり、複数のネジ１２により、建物１０の開口部１１を囲む縁部（開口縁部１３）に取り付けられる。また、枠体２は、枠組みされた４つの枠４〜６（上枠４、下枠５、一対の縦枠６）を有し、枠４〜６により、方形状の開口部２Ａを形成する。上枠４と下枠５は、左右方向に延び、一対の縦枠６は、上下方向に延びる。
【００１３】
ここでは、建具１の方向に関し、各枠４〜６の見込み方向は、室内外方向であり、各枠４〜６の見付け方向は、各枠４〜６の長手方向と見込み方向に直交する方向である。建具１を室外側（又は、室内側）からみたときに、上下方向に長尺な縦枠６では、左右方向が見付け方向であり、左右方向に長尺な上枠４と下枠５では、上下方向が見付け方向である。また、枠体２の開口部２Ａの内方側（単に、開口部２Ａの内方側という）は、各枠４〜６の見付け方向における開口部２Ａの内部側（内方側）である。枠体２の開口部２Ａの外方側（単に、開口部２Ａの外方側という）は、各枠４〜６の見付け方向における開口部２Ａの外部側（外方側）である。
【００１４】
枠体２の枠４〜６は、枠体２を構成する長尺な枠構成部材であり、金属（例えば、アルミニウム合金）又は合成樹脂で形成されている。枠４〜６は、押出成形により成形されて、端部同士を接触させた状態で、方形状に組み合わされる。開閉体３が閉じたときに、開閉体３が枠体２の開口部２Ａに配置されて、枠体２が開閉体３を囲む。その状態で、枠４〜６は、それぞれ開閉体３の縁部３Ａ〜３Ｃ（上縁部３Ａ、下縁部３Ｂ、一対の縦縁部３Ｃ）に対して開口部２Ａの外方側に設けられて、縁部３Ａ〜３Ｃに沿って配置される。また、開閉体３の開閉により、枠体２の開口部２Ａが開閉される。
【００１５】
開閉体３は、折り曲げ可能な折戸用の折曲開閉体であり、左右に並べて配置された２つの障子２０、２１（第１障子２０、第２障子２１）と、障子２０、２１を連結する連結部材２２と、２つのハンドル２３、２４（第１ハンドル２３、第２ハンドル２４）を有する。第１障子２０は、回動障子であり、枠体２に回動可能に連結されている。第２障子２１は、移動障子であり、枠体２に移動可能に連結されている。
【００１６】
連結部材２２は、開閉体３の左右方向の中間部に位置し、障子２０、２１を回動可能に連結する。第１ハンドル２３は、開閉体３の室内側に設けられる室内側ハンドルであり、第１障子２０に取り付けられている。第２ハンドル２４は、開閉体３の室外側に設けられる室外側ハンドルであり、第２障子２１に取り付けられている。
【００１７】
障子２０、２１は、それぞれ、方形状のパネル体２５と、方形状の框体３０を有する。また、第２障子２１は、２つのスライド部材２６を有する。パネル体２５は、框体３０に保持される面材であり、例えば、アルミニウム合金と合成樹脂の複合材料で形成される。框体３０は、枠組みされた４つの框３１〜３４（上框３１、下框３２、一対の縦框３３、３４）を有する。
【００１８】
上框３１と下框３２は、左右方向に延び、一対の縦框３３、３４は、上下方向に延びる。框３１〜３４は、框体３０を構成する長尺な框構成部材であり、金属（例えば、アルミニウム合金）又は合成樹脂で形成されている。框３１〜３４は、押出成形により成形されて、方形状に組み合わされる。パネル体２５は、框体３０に嵌め込まれる。
【００１９】
一方の縦框３３は、開閉体３の左右方向の中間部に配置される連結縦框であり、他方の縦框３４は、開閉体３の左右方向の端部に配置される支持縦框である。連結部材２２は、第１障子２０の縦框３３と第２障子２１の縦框３３に取り付けられて、２つの縦框３３を回動可能に連結する。第１障子２０の縦框３４は、上枠４と下枠５に回動可能に支持される。第１障子２０は、縦框３４を中心に室外側と枠体２側とに回動する。
【００２０】
２つのスライド部材２６は、第２障子２１の縦框３４の上端部と下端部に取り付けられる。上側のスライド部材２６は、上枠４に連結されて、上枠４の長手方向にスライドする。下側のスライド部材２６は、下枠５に連結されて、下枠５の長手方向にスライドする。第２障子２１の縦框３４は、スライド部材２６を介して、上枠４と下枠５に移動可能に支持され、スライド部材２６のスライドにより、上枠４と下枠５の長手方向に移動する。また、スライド部材２６は、第２障子２１の縦框３４を回動させる回動部を有する。第２障子２１は、縦框３４を中心に室外側と枠体２側とに回動しつつ、上枠４と下枠５の長手方向に移動する。
【００２１】
開閉体３を開くときには、第１ハンドル２３を室外側に押すか、或いは、第２ハンドル２４を室外側に引く。これに伴い、第２障子２１が縦框３４を中心に室外側に回動しつつ、第２障子２１の縦框３４が第１障子２０に向かって移動する。同時に、２つの縦框３３が連結部材２２に対して回動しつつ、第１障子２０が縦框３４を中心に室外側に回動する。これにより、開閉体３は、枠体２から室外側に突出して折れ曲がる。また、開閉体３が開いて、枠体２の開口部２Ａが開放される。開閉体３を閉じるときには、開き動作と反対の動作で、開閉体３が展開して閉じる。
【００２２】
障子２０、２１の上框３１は、開閉体３の上縁部３Ａに設けられ、障子２０、２１の下框３２は、開閉体３の下縁部３Ｂに設けられる。障子２０、２１の縦框３４は、開閉体３の一対の縦縁部３Ｃに設けられる。開閉体３が閉じた状態で、開閉体３の上縁部３Ａ（上框３１）が上枠４と対向し、開閉体３の下縁部３Ｂ（下框３２）が下枠５と対向する。また、開閉体３の一対の縦縁部３Ｃ（縦框３４）は、それぞれ縦枠６と接触せずに、隙間を形成した状態で縦枠６と対向する。
【００２３】
図４は、上枠４を含む図３の一部を拡大して示す断面図である。図４では、ネジ１２等を省略する。
図示のように、上枠４は、枠体２の開口部２Ａを形成する板状の内周面部４Ａと、複数の支持部４Ｂと、開閉体３に連結されるレール４Ｃと、開口部２Ａの内方側に立ち上がる立ち上がり部４Ｄを有する。上枠４の内周面部４Ａは、枠体２の内周面部の一部（上面部）であり、開閉体３に対して開口部２Ａの外方側に配置される。
【００２４】
内周面部４Ａは、上枠４の見込み方向に沿って形成された上枠４の下面部であり、開閉体３の外周部の一部（上部）と対向する。支持部４Ｂは、内周面部４Ａから開口部２Ａの外方側（建物１０の開口縁部１３）に向かって突出する突起であり、開口縁部１３に接触して、内周面部４Ａを支持する。レール４Ｃは、上枠４の長手方向に沿って形成され、内周面部４Ａから開口部２Ａの内方側に突出する。スライド部材２６は、レール４Ｃに連結され、レール４Ｃに沿ってスライドする。第２障子２１の縦框３４は、レール４Ｃによりガイドされて、上枠４の長手方向に移動する。
【００２５】
建具１は、立ち上がり部４Ｄに取り付けられる軟質な気密材４０を備える。立ち上がり部４Ｄは、上枠４の見込み方向の一方側に位置する内周面部４Ａの端部から突出し、開閉体３の上縁部３Ａ（上框３１）に対して上枠４の見込み方向の一方側に配置される。ここでは、見込み方向の一方側は、室内側であり、見込み方向の他方側は、室外側である。気密材４０は、立ち上がり部４Ｄにより、開閉体３に対して上枠４の見込み方向の一方側（室内側）に保持され、立ち上がり部４Ｄから上枠４の見込み方向の他方側（室外側）に突出する。開閉体３が閉じた状態で、気密材４０は、開閉体３の上縁部３Ａに接触し、開閉体３の上縁部３Ａに沿って配置される。
【００２６】
図５は、下枠５を含む図３の一部を拡大して示す断面図である。図５では、ネジ１２等を省略する。
図示のように、下枠５は、枠体２の開口部２Ａを形成する板状の内周面部５Ａと、複数の支持部５Ｂと、開閉体３に連結されるレール５Ｃと、取付部５Ｄを有する。下枠５の内周面部５Ａは、枠体２の内周面部の一部（下面部）であり、開閉体３に対して開口部２Ａの外方側に配置される。
【００２７】
内周面部５Ａは、下枠５の見込み方向に沿って形成された下枠５の上面部であり、開閉体３の外周部の一部（下部）と対向する。支持部５Ｂは、内周面部５Ａと取付部５Ｄから開口部２Ａの外方側（建物１０の開口縁部１３）に向かって突出する突起であり、開口縁部１３に接触して、内周面部５Ａと取付部５Ｄを支持する。レール５Ｃは、下枠５の長手方向に沿って形成され、内周面部５Ａから開口部２Ａの内方側に突出する。スライド部材２６は、レール５Ｃに連結され、レール５Ｃに沿ってスライドする。第２障子２１の縦框３４は、レール５Ｃによりガイドされて、下枠５の長手方向に移動する。
【００２８】
建具１は、取付部５Ｄに取り付けられる軟質な気密材４１と、開閉体３に取り付けられる複数の軟質な下突出部材４２、４３（第１下突出部材４２、第２下突出部材４３）を備える。取付部５Ｄは、内周面部５Ａ及びレール５Ｃに対して下枠５の見込み方向の一方側（室内側）に形成される。気密材４１は、中空状に形成され、取付部５Ｄにより、開閉体３に対して開口部２Ａの外方側（下枠５側）に保持される。また、気密材４１は、取付部５Ｄから開口部２Ａの内方側（開閉体３側）に突出する。開閉体３が閉じた状態で、気密材４１は、開閉体３の下縁部３Ｂに接触せず、開閉体３の下縁部３Ｂに沿って配置される。
【００２９】
下突出部材４２、４３は、中空状に形成された緩衝部材であり、障子２０、２１の下框３２に取り付けられる。開閉体３が閉じた状態で、下突出部材４２、４３は、開閉体３から下枠５（開口部２Ａの外方側）に向かって突出して、開閉体３と下枠５の間に配置される。下突出部材４２、４３は、下枠５に接触せず、下枠５に対して開口部２Ａの内方側に配置される。下突出部材４２、４３と下枠５の間に隙間４４が形成された状態で、下突出部材４２、４３が下枠５と対向する。下突出部材４２、４３は、開閉体３の下縁部３Ｂ（下框３２）及びレール５Ｃに沿って配置される。
【００３０】
開閉体３が閉じた状態で、第１下突出部材４２は、レール５Ｃに対して下枠５の見込み方向の一方側（室内側）に配置され、第２下突出部材４３は、レール５Ｃに対して下枠５の見込み方向の他方側（室外側）に配置される。第１下突出部材４２と第２下突出部材４３は、下枠５の見込み方向に離間して、並列に配置される。第１下突出部材４２は、開閉体３の下面における室内側の部分に設けられて、開閉体３の室内側の下角部に沿って配置される。第２下突出部材４３は、開閉体３の下面における室外側の部分に設けられて、開閉体３の室外側の下角部に沿って配置される。開閉体３を閉じたときに、第１下突出部材４２は、下枠５の気密材４１に接触し、気密材４１に沿って配置される。第１下突出部材４２と気密材４１の接触により、開閉体３が停止する。
【００３１】
図６は、一方の縦枠６を含む図２の一部を拡大して示す断面図である。図６では、ネジ１２等を省略する。なお、他方の縦枠６側の建具１の構造は、一方の縦枠６側の建具１の構造と同様になっている。
図示のように、縦枠６は、枠体２の開口部２Ａを形成する板状の内周面部６Ａと、複数の支持部６Ｂと、凹状の取付部６Ｃを有する。縦枠６の内周面部６Ａは、枠体２の内周面部の一部（側面部）であり、開閉体３に対して開口部２Ａの外方側に配置される。枠体２の内周面部は、枠４、５、６の内周面部４Ａ、５Ａ、６Ａにより構成されて、方形状に形成される。
【００３２】
内周面部６Ａは、縦枠６の見込み方向に沿って形成された縦枠６の側面部であり、開閉体３の外周部の一部（側部）と対向する。内周面部６Ａの開閉体３側（開口部２Ａの内方側）の面は、平面状に形成された平坦面になっている。取付部６Ｃは、内周面部６Ａに溝状に形成された溝部（取付溝部）であり、内周面部６Ａに対して開口部２Ａの外方側にくぼむ。また、取付部６Ｃは、縦枠６の見込み方向の一方側（室内側）に位置する内周面部６Ａの一方側部（ここでは、端部）に形成され、縦枠６の長手方向に沿って延びる。取付部６Ｃは、２つの係止部６Ｄを有する。２つの係止部６Ｄは、取付部６Ｃ内で縦枠６の見込み方向に突出して、互いに対向する。
【００３３】
内周面部６Ａは、取付部６Ｃから縦枠６の見込み方向の他方側（室外側）に向かって延びる。複数の支持部６Ｂのうち、室外側の１つの支持部６Ｂは、内周面部６Ａから開口部２Ａの外方側（建物１０の開口縁部１３）に向かって突出する中空状の突出部であり、室内側の２つの支持部６Ｂは、取付部６Ｃから開口部２Ａの外方側に向かって突出する突片である。複数の支持部６Ｂは、開口縁部１３に接触して、内周面部６Ａと取付部６Ｃを支持する。
【００３４】
縦枠６の見込み部６Ｅは、内周面部６Ａと取付部６Ｃの開口６Ｆからなり、縦枠６の見込み方向に沿って形成される。見込み部６Ｅ及び内周面部６Ａは、縦枠６において最も開口部２Ａの内方側に位置し、取付部６Ｃの開口６Ｆを除いて平坦に形成されている。取付部６Ｃは、内周面部６Ａ（見込み部６Ｅ）の室内側部に形成されて、内周面部６Ａに開口する。
【００３５】
建具１は、縦枠６と開閉体３の間に形成される通気路７と、縦枠６に取り付けられる軟質な縦突出部材５０を備える。通気路７は、縦枠６と開閉体３の縦縁部３Ｃの間に形成される隙間であり、開閉体３の室内側の空間と室外側の空間とに向かって開口する。また、通気路７は、縦枠６の長手方向に沿って形成されて、縦枠６と開閉体３の縦縁部３Ｃの間の部分の全体にわたって形成されている。
【００３６】
通気路７は、開閉体３が閉じた状態で、縦枠６の内周面部６Ａと開閉体３の間に形成される。開閉体３が閉じた状態で、通気路７は、開閉体３の室内側の空間と室外側の空間との間で空気を流通させる。空気は、通気路７を通って、開閉体３の室内側から室外側に通過し、開閉体３の室外側から室内側に通過する。
【００３７】
縦突出部材５０は、ベース部５１と、２つの被係止部５２と、突片５３を有し、縦枠６の長手方向に沿って配置される。被係止部５２は、ベース部５１に形成された溝部であり、突片５３は、ベース部５１から開口部２Ａの内方側に向かって突出する。縦突出部材５０の取り付け時には、ベース部５１が縦枠６の取付部６Ｃに挿入される。また、取付部６Ｃの係止部６Ｄが被係止部５２内に配置されて、ベース部５１が係止部６Ｄに係止される。これにより、縦突出部材５０が取付部６Ｃに着脱可能に係止される。
【００３８】
縦突出部材５０は、縦枠６の取付部６Ｃに取り付けられて、縦枠６及び内周面部６Ａから開口部２Ａの内方側に突出する。ここでは、縦突出部材５０の突片５３が、開閉体３よりも室内側で、開閉体３の縦縁部３Ｃに向かって突出する。縦突出部材５０（突片５３）は、通気路７及び開閉体３の縦縁部３Ｃ（縦框３４）に対して縦枠６の見込み方向の一方側（室内側）に配置されて、開閉体３の縦縁部３Ｃに隣接する。また、縦突出部材５０は、開閉体３に接触せず、開閉体３の縦縁部３Ｃから離間した位置に配置される。
【００３９】
開閉体３が閉じた状態で、縦突出部材５０は、開閉体３の縦縁部３Ｃに沿って配置されて、開閉体３との間に隙間５４を形成する。隙間５４は、開閉体３の室内側の空間と通気路７との間に設けられる。通気路７は、隙間５４を介して、開閉体３の室内側の空間に繋がる。縦突出部材５０と開閉体３の間の隙間５４により、通気路７を通る空気の流通が阻害されず、建具１による通気が円滑に行われる。
【００４０】
縦突出部材５０は、通気路７を遮蔽する遮蔽部材（目隠し）である。縦突出部材５０を縦枠６の見込み方向の一方側（室内側）からみたときに、縦突出部材５０が通気路７に重なり、通気路７が縦突出部材５０により遮蔽される。また、通気路７を縦枠６の見込み方向の他方側（室外側）からみたときに、縦突出部材５０により、開閉体３の室内側の空間が隠される。縦突出部材５０は、通気路７の長手方向の全体にわたって設けられて、通気路７の全体を遮蔽する。縦突出部材５０により、通気路７を通して建具１の室内側が視認されるのが防止される。
【００４１】
開閉体３（図２参照）は、開き時に、縦枠６の見込み方向の他方側（室外側）に突出して折れ曲がり、閉じ時に、縦枠６の見込み方向の一方側（室内側）に向かって折れ曲がりを解消する。第２障子２１の縦框３４側では、開閉体３が閉じた状態で、通気路７が形成されて、縦突出部材５０により通気路７が遮蔽される。これに対し、第１障子２０の縦框３４側では、開閉体３が閉じた状態、及び、開閉体３が開いた状態で、通気路７が形成されて、縦突出部材５０により通気路７が遮蔽される。
【００４２】
枠体２（図１参照）の枠組み前に、枠４〜６は、それぞれの長手方向に直交する方向に切断されて、所定長さに形成される。これにより、各長手方向に直交する両端部が枠４〜６に形成される。続いて、上枠４と下枠５が、一対の縦枠６の端部の間に配置されて、一対の縦枠６に組み合わされる。これにより、枠４〜６が端部同士を接触させた状態で方形状に組み合わされて、枠体２が枠組みされる。
【００４３】
以上説明した建具１では、通気路７により、建具１の一方側と他方側（ここでは、室内側と室外側）との通気が可能になるとともに、縦突出部材５０により、建具１の通気路７を通した視認を防止することができる。また、通気路７の形成と視認の防止を簡単に実現でき、建具１の構造が複雑になるのを抑制することができる。
【００４４】
内周面部６Ａを縦枠６の見込み方向に沿って形成するため、建具１の有効開口を確保することができる。縦枠６への衝突も抑制できるため、縦枠６の開閉体３側における安全性を向上させることができる。内周面部６Ａに溝状に形成された取付部６Ｃに縦突出部材５０を取り付けており、縦枠６の構造を単純にしつつ、縦突出部材５０を縦枠６に容易に取り付けることができる。また、縦枠６の内周面部６Ａは、開口部２Ａの内方側に突出する部分のない平坦な形状に形成される。そのため、枠４〜６の端部を切断するだけで、枠４〜７を組み合わせることができる。従って、枠４〜６の端部の構造を含む建具１の構造が複雑になるのを抑制することができる。
【００４５】
取付部６Ｃが内周面部６Ａの一方側部（ここでは、室内側部）に形成されて、縦突出部材５０が内周面部６Ａの室内側で突出する。そのため、縦突出部材５０を開閉体３の縦縁部３Ｃに対して室内側に確実に配置することができる。開閉体３が室外側に突出して折れ曲がるため、開閉体３の開閉時に、開閉体３が縦突出部材５０に接触するのが防止される。これに伴い、開閉体３を円滑に開閉することができる。
【００４６】
上枠４の気密材４０と同様の気密材が縦突出部材５０として利用され、下枠５の気密材４１と同様の気密材が下突出部材４２、４３として利用される。気密材４０、４１、縦突出部材５０、及び、下突出部材４２、４３は、軟質部材であり、弾性変形可能な軟質材（例えば、軟質樹脂、ゴム）で形成される。そのため、人が縦突出部材５０と下突出部材４２、４３に接触したときに、縦突出部材５０と下突出部材４２、４３が柔軟に変形する。これより、建具１の安全性をより向上させることができる。
【００４７】
下突出部材４２、４３により、開閉体３の下側の部材（例えば、下枠５、床）と開閉体３との間に足の指が挟まれるのを抑制することができる。また、開閉体３が室内側に向かって折れ曲がろうとするときには、第１下突出部材４２が下枠５の気密材４１に接触して、開閉体３が停止する。第１下突出部材４２が気密材４１を乗り越えて気密材４１の室内側に移動したときには、第２下突出部材４３が気密材４１に接触して、開閉体３が停止する。これにより、開閉体３の室内側への移動（逆折れ曲がり）を防止することができる。下突出部材４２、４３が気密材４１乗り越えて気密材４１の室内側に移動したときには、下突出部材４２、４３と気密材４１を変形させつつ、下突出部材４２、４３を気密材４１の室外側に容易に復帰させることができる。その結果、建具１の室内側に人が閉じ込められるのを防止することができる。
【００４８】
なお、建具１は、新築用の建具であってもよく、リフォーム用の建具であってもよい。リフォーム時には、既存の建具を取り外して、建具１を建物１０の開口部１１に設置する。また、縦突出部材５０を突片以外の形状（例えば、中空状）に形成してもよい。
【００４９】
建具１の枠体２は、少なくとも一対の縦枠６を有する。通気路７と縦突出部材５０は、いずれか一方の縦枠６側に設けてもよく、両方の縦枠６側に設けてもよい。即ち、通気路７は、少なくとも一方の縦枠６と開閉体３の間に形成され、縦突出部材５０は、通気路７を形成する少なくとも一方の縦枠６に取り付けられる。縦突出部材５０を開閉体３の縦縁部３Ｃに対して室外側に配置してもよい。この場合には、縦枠６の見込み方向の一方側は室外側であり、縦枠６の見込み方向の他方側は室内側である。
【００５０】
図７は、他の実施形態の建具１Ａの断面図であり、図２と同様に、建具１Ａを水平方向に切断した横断面図を示している。
ここでは、図示のように、建具１Ａは、引き戸である。建具１Ａの開閉体３は、スライド可能なスライド開閉体であり、スライドにより開閉する。開閉体３が閉じた状態で、通気路７は、枠体２の１つの縦枠６と開閉体３の間に形成される。縦突出部材５０が縦枠６に取り付けられて、隙間５４が縦突出部材５０と開閉体３の間に形成される。縦突出部材５０を縦枠６の見込み方向の一方側からみたときに、通気路７は、縦突出部材５０により遮蔽される。
【００５１】
以上、折戸と引き戸を例にとり、建具について説明したが、建具は、他の建具（例えば、開き戸、窓）であってもよい。本発明は、通気を行う種々の建具に適用することができる。また、建具は、トイレの出入口に限定されず、建物の種々の開口部に設置される。建具を建物の２つの部屋（又は、２つの空間）の間に設けてもよい。このように、建具の両側が室内であり、縦枠の見込み方向の一方側と他方側の両方が室内側であってもよい。また、枠体の枠の構成は、建具の種類や形状等に応じて変更される。枠体は、少なくとも１つの縦枠を有する。
【符号の説明】
【００５２】
１・・・建具、１Ａ・・・建具、２・・・枠体、２Ａ・・・開口部、３・・・開閉体、４・・・上枠、５・・・下枠、６・・・縦枠、７・・・通気路、１０・・・建物、１１・・・開口部、１２・・・ネジ、１３・・・開口縁部、２０・・・第１障子、２１・・・第２障子、２２・・・連結部材、２３・・・第１ハンドル、２４・・・第２ハンドル、２５・・・パネル体、２６・・・スライド部材、３０・・・框体、３１・・・上框、３２・・・下框、３３・・・縦框、３４・・・縦框、４０・・・気密材、４１・・・気密材、４２・・・第１下突出部材、４３・・・第２下突出部材、４４・・・隙間、５０・・・縦突出部材、５１・・・ベース部、５２・・・被係止部、５３・・・突片、５４・・・隙間。
【図１】
2018127793.tif 000003
【図２】
2018127793.tif 000004
【図３】
2018127793.tif 000005
【図４】
2018127793.tif 000006
【図５】
2018127793.tif 000007
【図６】
2018127793.tif 000008
【図７】
2018127793.tif 000009